(57)【要約】【課題】  ネックレスのチェーンが妄動することなく、かつ、使用上の美観に変化を持たせ、併せて従来経験しなかった斬新な美粧効果を得ることにある。【解決手段】  ネックレス１０のチェーン１２を人体の胸側を残して首回りに掛け渡し、ネックレス１０両側に備えた係止具１４、１４を上衣１６の下層であって、上衣１６に隠蔽された下着類１８にそれぞれ係止する。【選択図】  図２  
2005160665.tif 000002
【特許請求の範囲】
【請求項１】
チェーンの両側に係止具をそれぞれ備えたネックレスにおいて
該ネックレスのチェーンを人体の胸側を残して首回りに掛け渡すとともに、両側の係止具を上衣に隠蔽された下着類にそれぞれ係止することを特徴とするネックレスの固定方法。
【請求項２】
チェーンの両側に係止具をそれぞれ備えたネックレスにおいて、
該ネックレスのチェーンを人体の首回りに掛け渡すとともに、該チェーンの両側の延長側を下着類に臨ませ、
前記した両側の係止具を上衣の下層であって、上衣に隠蔽された下着類にそれぞれ係止することを特徴とするネックレスの固定方法。
【請求項３】
チェーンの両側に係止具をそれぞれ備えたネックレスを設け、
ネックレスのチェーンを人体の首回りに掛け回すとともに、ネックレスのチェーンを人体の胸部において十字状に交差させ、
さらに、両側の係止具とともに前記した両側の係止具側をそれぞれ垂下させ、
上衣の下層であって、かつ、垂下された両側の係止具を上衣に隠蔽された下着類にそれぞれ係止することを特徴とするネックレスの固定方法。  
【発明の詳細な説明】
【技術分野】
【０００１】
この発明は、チェーンを備えたネックレスの固定方法に関する。
【背景技術】
【０００２】
チェーンを備えたネックレスの固定方法は広く知られるように人体の首回りに掛け回し、チェーンの両側に装着された比較的小さな環状の取付金具を首の背面に位置させた上、取付金具を首の背面で固定する方法が伝統的に行われている。
たとえば、上坂酉三編者  株式会社東洋経済新報社発行「商品大辞典」に記載されたものがある（非特許文献１を参照）。
【非特許文献１】上坂酉三編者  株式会社東洋経済新報社  昭和４４年３月１０日発行「商品大辞典」第１１１２頁
【発明の開示】
【発明が解決しようとする課題】
【０００３】
前記の非特許文献１記載の背景技術では、ネックレスの両側は首の背面で小さな環状の取付金具により単に固定されているに止まる。
したがって、ネックレスの正面側は、一般的に円を描くように胸部を自由状態で占めるに過ぎない。
【０００４】
この結果、ネックレスは人体の動きに追従して妄動することは勿論、単に円を描くように胸部の美観を図るに止まるから、美観に制約を受け、美粧上の興趣に欠けるという問題があった。
【０００５】
その上、首回りの背面で単に固定するに止まるから、取り付けおよび取り外しの作業が面倒であることのほか、取付金具が外れてネックレスを紛失するなどという問題が少なくなかった。
【０００６】
この発明の目的は、前記の背景技術の構成が有していた問題点を解決しようとするものであり、ネックレスが妄動することなく、かつ、使用上の美観に変化を持たせ、併せて従来経験しなかった斬新な美粧効果を得ることにある。
【課題を解決するための手段】
【０００７】
第１の課題解決手段は、チェーンの両側に係止具をそれぞれ備えたネックレスにおいて、該ネックレスのチェーンを人体の胸側を残して首回りに掛け渡すとともに、両側の係止具を上衣に隠蔽された下着類にそれぞれ係止することを特徴とするネックレスの固定方法である。
【０００８】
第２の課題解決手段は、チェーンの両側に係止具をそれぞれ備えたネックレスにおいて、
該ネックレスのチェーンを人体の首回りに掛け渡すとともに、該チェーンの両側の延長側を下着類に臨ませ、前記した両側の係止具を上衣の下層であって、上衣に隠蔽された下着類にそれぞれ係止することを特徴とするネックレスの固定方法である。
【０００９】
第３の課題解決手段は、チェーンの両側に係止具をそれぞれ備えたネックレスにおいて、ネックレスのチェーンを人体の首回りに掛け回すとともに、ネックレスのチェーンを人体の胸部において十字状に交差させ、さらに、両側の係止具とともに前記した両側の係止具側をそれぞれ垂下させ、上衣の下層であって、かつ、垂下された両側の係止具を上衣に隠蔽された下着類にそれぞれ係止することを特徴とするネックレスの固定方法である。  
【発明の効果】
【００１０】
第１の課題解決手段は、上記のように構成されているから、以下の作用効果を奏する。
ネックレスのチェーンの両側に備えられた係止具は、上衣に隠蔽された下着類に係止されるから、係止具は上衣により隠蔽される。
したがって、係止具は外観上見えないから、ネックレスの使用上の違和感がないことのほか、ネックレスの美観の向上化に寄与できる。
【００１１】
その上、背景技術と異なり、係止具の取扱いは、下着類を対象とするものの、人体の正面側において行うことができるから、背景技術の取付金具の操作取と異なりその扱いが行い易い。
【００１２】
両側に備えられた該係止具を下着類に止めるから、背景技術の取付金具の止めて方と異なり、ネックレスのチェーンの妄動を少なくできる。
さらに、該係止具は上衣の下層に位置する下着類に止めるから、係止具は外部からの干渉を受けることが少ないから、係止具が妄りに下着類から外れるおそれがない。
【００１３】
該係止具を上衣の下層の下着類に止めることにより、従来経験しなかった斬新なネックレスの美粧効果を期待できる。
【００１４】
また、下着類の両側は、係止具を介してネックレスのチェーンにより固定されることになるから、下着類が人体から妄動することを抑制できることも期待できる。
【００１５】
第２の課題解決手段は、上記のように構成されているから、第１の課題解決手段と共通の作用効果を得ることができることのほか、以下の作用効果を奏する。
ネックレスのチェーンを首回りに掛け回すとともに、チェーンの両側の延長側を下着類に臨ませ、前記した両側の係止具を上衣に隠蔽された下着類にそれぞれ係止するものであるから、ネックレスの首回りの装飾ができることは勿論、チェーンの両側の延長側をその長さの範囲内に制約されるものの、チェーンの形態を自由にデザインたとえば、円弧状などに描くことができるから一層趣味感のある装飾を行うことができるでき、従来経験しなかった斬新なネックレスの美粧効果を得ることができる。
【００１６】
第３の課題解決手段は、上記のように構成されているから、第１の課題解決手段と共通の作用効果を得ることができることのほか、以下の作用効果を奏する。
【００１７】
ネックレスのチェーンを人体の胸部において十字状に交差させ、両側の係止具側をそれぞれ垂下させ、上衣の下層であって、かつ、垂下された両側の係止具を上衣に隠蔽された下着類にそれぞれ係止するものであるから、ネックレスは交差部により、一層妄動が抑制される。
その上、胸部の開いた上衣の内側にネックレスの交差部が位置することになるから、注視される易い人体の胸部の美観の向上化に寄与できる。
【発明を実施するためにの最良の形態】
【００１８】
この発明の実施の形態１に係るネックレスの固定方法の発明を図面を参照して説明する。
この発明を実施するには、予めチェーン１２の両側にクリップなどの係止具１４を備えたネックレス１０を設ける（図１を参照）。
図１に示されたネックレス１０の場合、その主体部を占めるチェーン１２の両側に係止具１４が備えられているが、チェーン１２の長さが短い場合は、図示を省略したが、別のチェーンを連結することによりチェーン１２の長さを延長することは自由である。
【００１９】
一般的には、チェーン１２の両側に係止具１４を備えるが、チェーン１２の内側つまり、チェーン１２の中央寄りの位置に係止具１４を備えることや、さらに別の係止具を備えることにより、これらの中央寄りの係止具を利用することにより、ネックレス１０の長さを短い位置で利用できることも発明者は予定している。
係止具１４は一般的にチェーン１２の両側に固定されているが、着脱自在に設けることにより、係止具１４をチェーン１２の任意の位置に変更することは自由である。
【００２０】
また、下着類の種類の変化に対応させて係止具１４の種類を前記したクリップ以外のたとえば、安全ピンやプラスチックス製のスナップ、フック類などを採用することは自由である。
【００２１】
そこで、前記したネックレス１０によるネックレスの固定方法の実施の形態１を図２を参照して説明する。
ネックレス１０のチェーン１２を人体の首回りに掛け渡す。
掛け渡されたネックレス１０のチェーン１２の両側を下着類１８の下方に向け、その延長端に存在する係止具１４をそれぞれ上衣１６に隠蔽された下着類１８たとえば、ブラジャーの一部に係止する。
【００２２】
図２に示される例では、下着類１８としてブラジャーが図示され、両側のそれぞれの係止具１４、１４は両側のブラジャーのカップ１８ａ、１８ａの上部位置に係止されているが、もとより、下着類１８としてブラジャーに制約する趣旨ではない。
【００２３】
下着類として前記したブラジャーのほか、スリップ、キャミソールなどが挙げられる。
この実施の形態では、係止具１４、１４はブラジャーのカップ１８ａ、１８ａの上部位置に係止されているが、もとよりブラジャーのカップ１８ａ、１８ａの上部位置に係止することに制約する趣旨ではない。
たとえば、ブラジャーのひも１８ｂ、１８ｂに係止してもよいし、図示を省略したが、スリップ、キャミソールなどの下着類の両側のひも１８ｂ、１８ｂに係止具を固定することも予定されている。
【００２４】
必要なことは、上衣１６に隠蔽された下着類１８の所定の位置に係止具１４、１４を係止することであり、下着類であればよく、その種類を制約するものではない。
もっとも、ここでいう下着類１８には下肢に使用されるたとえば、ガードルなどの下着類は一般的ではないといえるが、使用者の利便性を考慮したとき、稀には係止具の被係止材になることもあり得るであろう。
【００２５】
この発明の実施の形態２に係るネックレス１０の固定方法の発明を図２を参照して説明する。
ネックレス１０の構成は、前記の実施の形態１について記載したとおりであるから、その説明をそっくり援用し、その記載を省略する。
また、ネックレス１０の固定方法についても実施の形態１の構成と共通する構成が少なくないから、原則的に実施の形態１と相違する構成について言及する。
【００２６】
まず、ネックレス１０のチェーン１２を人体の首回りに掛け渡す。
次いで、掛け渡されたネックレス１０のチェーン１２の両側の延長側を下着類１８に臨ませる。
実施の形態では、人体の首回りに掛け渡されたチェーン１２は首の中央部を基点として両側の延長側が下方に向かう半円を描き、上衣１６の下層に隠蔽された下着類１８の例であるブラジャーの両側のひも１８ｂ、１８ｂの上部つまり人体の肩寄りの位置に両側の係止具１４、１４をそれぞれ係止させる。
係止具１４、１４の係止位置をブラジャーの両側のひも１８ｂ、１８ｂの上部に制約するものではなく、使用者の好みや、ネックレス１０のデザインを考慮しつつ、下着類１８の適宜の個所や位置を選択する。
【００２７】
この発明の実施の形態３に係るネックレスの固定方法の発明を図３を参照して説明する。
ネックレス１０の構成は、前記の実施の形態１について記載したとおりであるから、その説明をそっくり援用し、その記載を省略する。
また、ネックレス１０の固定方法についても実施の形態１および２の構成と共通する構成が少なくないから、原則的に実施の形態１および２と相違する構成について言及する。
【００２８】
実施の形態１および２と同様に、まず、ネックレス１０のチェーン１２を首回りに掛け渡す。
次に掛け渡されたネックレス１０のチェーン１２を人体の胸部において十字状に交差させる。
【００２９】
さらに、交差させたネックレス１０の主体部の両側の係止具１４、１４側を上衣１６の下層に位置し、上衣１６に隠蔽された下着類１８の例であるブラジャーの両側のカップ１８ｂ、１８ｂ側に臨ませる。
そして、これらの両側の係止具１４、１４を両側のカップ１８ｂ、１８ｂ寄りに位置するひも１８ｂ、１８ｂにそれぞれ係止させる。
【００３０】
かくして、ネックレス１０は胸側で交差されるから、一層、ネックレス１０が妄動することが少ない。
十字状にチェーン１２を交差させることにより、胸もとを大きく開いた上衣を着用したとき、ネックレス１０の十字部分が存在することにより、胸元が一層華やかになる利点もある。
【００３１】
さらに、交差部に別の身飾り品を装着することにより、交差部の固定の確実性と併せて美観の向上化を図ることもできる。
【図面の簡単な説明】
【００３２】
【図１】この発明の実施の形態に係るネックレスの斜視図である。
【図２】この発明の実施の形態１に係る正面図である。
【図３】この発明の実施の形態２に係る正面図である。
【図４】この発明の実施の形態３に係る正面図である。
【符号の説明】
【００３３】
１０  ネックレス
１２  チェーン
１４  係止具
１６  上衣
１８  下着
１８ａ  ひも  
１８ｂ  カップ  
【図１】
2005160665.tif 000003
【図２】
2005160665.tif 000004
【図３】
2005160665.tif 000005
【図４】
2005160665.tif 000006